(57)【要約】【課題】従来のペット等の毛を掃き集める際に用いられていた箒にあっては、清掃する際に空気が撹拌され、ペットの毛が空気といっしょに舞い上がってしまい、周辺に毛が飛散するため、環境や人間の身体に悪影響を及ぼす虞があった。【解決手段】箒部本体に立ち上がりガード部を設けることにより、通気部が清掃の際の空気抵抗を軽減や空気の撹拌を抑制し、ガードバー、サイドバーによってペットの毛が捕捉され、ペットの毛が周辺に飛散することを防止するペット用乗り越えガード付箒を提供するものである。【選択図】図１
2007098058.tif 000002
【特許請求の範囲】
【請求項１】
柄部の先端に箒部を設けた犬、猫等のペット用の箒であって、
該箒部を略平板状の箒部本体と、この箒部本体に植設した毛部と、前記箒部本体の一面に設けた立ち上がりガード部で構成し、
該立ち上がりガード部が、前記箒部本体の上面より延設された略倒Ｌ字、略くの字、曲面等形状の折り曲げ部を形成し、
この立ち上がりガード部でペットの毛を捕捉することを特徴とする犬、猫等のペット用の箒。
【請求項２】
柄部の先端に箒部を設けた犬、猫等のペット用の箒であって、
該箒部を略平板状の箒部本体と、この箒部本体に植設した毛部と、前記箒部本体の一面に設けた立ち上がりガード部で構成し、
該立ち上がりガード部が、前面方向に延設し、側面視して略倒Ｌ字、略くの字、曲面等形状の折り曲げ部を形成し、
この立ち上がりガード部でペットの毛を捕捉することを特徴とする犬、猫等のペット用の箒。
【請求項３】
柄部の先端に箒部を設けた犬、猫等のペット用の箒であって、
該箒部を略平板状の箒部本体と、この箒部本体に植設した毛部と、前記箒部本体の一面に設けた立ち上がりガード部で構成し、
該立ち上がりガード部が、ストレート形状で、前記箒部本体の上面より延設され、
この立ち上がりガード部でペットの毛を捕捉することを特徴とする犬、猫等のペット用の箒。
【請求項４】
請求項１乃至請求項３に記載の立ち上がりガード部が箒部本体から着脱自在であることを特徴とする犬、猫等のペット用の箒。
【発明の詳細な説明】
【技術分野】
【０００１】
本発明は、主にペットの毛等のゴミを掃き取る際に、毛の舞い上がりを防止して掃き取ることができる箒を提供するものである。
【背景技術】
【０００２】
昨今のペットブームにより、犬や猫といったペットを飼う家庭が増加している。また以前は、マンション等ではペットを飼うことが禁止されている場合が多かったが、最近ではペットを飼うことができるマンション等が多くみられること等によりペットを飼う家庭の増加に拍車がかかっている。
【０００３】
従来、ペット用の美容院等では、カットしたペットの毛が床に散乱するため、手軽にペットの毛を掃き集めることができる箒等が用いられることが多かった。また、家庭でペットを飼っている場合は、床等に抜け落ちてしまうペットの毛等のゴミを掃き集める場合、手軽な清掃道具として箒等を用いることが多かった。
【０００４】
そして、ペットの毛を掃き集めるものとして、「箒」のようなタイプの清掃用具が用いられていた。この「箒」は実公昭３５−１７６７２号で、その構成は、ゴミを掃く箒繊維束の長さが扁平な枠よりも長いものである。確かにこのように箒繊維束の長さを長くすれば、大量のゴミを掃き集めることができ、また、嵩のあるゴミを容易に集めることができる。しかし、箒繊維束の長さを長くすると、箒における箒繊維束が占める面積も広くなり、清掃の際、必然的に空気が撹拌され、ペットの毛等の軽いゴミもいっしょに舞い上がってしまい、周辺に毛が飛散する。
【０００５】
また、ペットの毛を掃き集める箒として逆Ｔ字型のようなタイプの箒が用いられている。この逆Ｔ字型の箒は実開昭６３−１６３７６０号で挙げられているが、その構成は、箒部とゴミを掃く毛の部分の長さが同程度のものである。確かにこの考案は上述した実公昭３５−１７６７２号の「箒」のようなタイプと比較すると、箒部やゴミを掃く毛の部分の長さが短いため、箒部とゴミを掃く毛の部分が占める面積も狭くなるため、ゴミを掃き集める際に空気を撹拌し、ペットの毛等の軽いゴミもいっしょに舞い上がることが少なくなる。しかし、ゴミを掃く毛の部分が短く、箒部とゴミを掃く毛の部分の長さが同程度であると、ペットの毛等の細くて長いゴミは、箒部と毛部を乗り越えてしまう虞がある。
【０００６】
この点の改良発明として、大きいゴミと粉塵となるゴミを同時に素早く粉塵のまきあがりを抑えながら清掃することのできる掃き集め装置として「掃き集め装置」がある。この「掃き集め装置」は、特開２００３−２０４９１２で、その内容は、後部と底部を開口してなるボックス形成体と、前部壁と右壁と左壁との下部に突出するように設けられた、粉塵などが外に出ないようなブラシ形態などの箒部とからなるものであり、ゴミがボックス内に閉じ込められて舞い上がらないので、身体や環境に悪影響を与えないものである。しかし、細く軽く長いペットの毛等のゴミは、ボックス形成体に入りきらない場合があり、ペットの毛等の軽いゴミもいっしょに舞い上がってしまう虞がある。また、「掃き集め装置」にあっては、柄がボックス形成体の天井壁に固着されているため、柄とボックス形成体の角度を変えることができないため、操作性においても問題点を残している。さらに、ペット等の毛は軽いため部屋の隅の方に溜まることが多く、その場合部屋の隅を清掃する必要があるが、本発明は前部壁、右壁、左壁の下部に突出するようにブラシ形態などの箒部が設けられているため、清掃の際に前部壁等を部屋の隅に置いてある家具等にぶつけ、家具等にキズをつけてしまう虞がある。
【０００７】
以上のように、犬、猫等のペットの毛を清掃する場合は、空気の撹拌による毛の舞い上げにより環境や人間の身体、例えば呼吸器関係に悪影響を与える虞があり、乳幼児がいる家庭においては重要な問題である。特にペットの毛はノミやダニの繁殖場所となることから、ペットの抜け毛が増える換毛期にはアレルギー体質の者にとっては深刻な問題である。
【０００８】
【特許文献１】実公昭３５−１７６７２号
【特許文献２】実開昭６３−１６３７６０号
【特許文献３】特開２００３−２０４９１２
【発明の開示】
【発明が解決しようとする課題】
【０００９】
本発明は上記事情に鑑みて、ペットの毛等の軽いゴミを箒で清掃する際、毛等が舞い上がらないようにするためのガード付箒を提供することを目的とする。
【課題を解決するための手段】
【００１０】
第一発明の犬、猫等のペット用の箒は、柄部の先端に箒部を設けた箒であって、該箒部を略平板状の箒部本体と、この箒部本体に植設した毛部と、前記箒部本体の一面に設けた立ち上がりガード部で構成し、該立ち上がりガード部が、前記箒部本体の上面より延設された略倒Ｌ字、略くの字、局面等形状の折り曲げ部を形成し、この立ち上がりガード部でペットの毛を捕捉することを特徴とする。
【００１１】
第二発明の犬、猫等のペット用の箒は、柄部の先端に箒部を設けた箒であって、該箒部を略平板状の箒部本体と、この箒部本体に植設した毛部と、前記箒部本体の一面に設けた立ち上がりガード部で構成し、該立ち上がりガード部が、前面方向に延設し、側面視して略倒Ｌ字、略くの字、局面等形状の折り曲げ部を形成し、この立ち上がりガード部でペットの毛を捕捉することを特徴とする。
【００１２】
第三発明の犬、猫等のペット用の箒は、柄部の先端に箒部を設けた箒であって、該箒部を略平板状の箒部本体と、この箒部本体に植設した毛部と、前記箒部本体の一面に設けた立ち上がりガード部で構成し、該立ち上がりガード部が、前記箒部本体の上面より延設され、ストレート形状を構成し、この立ち上がりガード部でペットの毛を捕捉することを特徴とする。
【００１３】
第四発明の犬、猫等のペット用の箒は、請求項１乃至請求項３に記載の立ち上がりガード部が箒部本体から着脱自在であることを特徴とする。
【発明の効果】
【００１４】
第一発明によれば、箒部本体の上面より、略倒Ｌ字、略くの字、局面等形状の折り曲げ部を有する立ち上がりガード部が上方に向かって延設されているので、ガード部が設けられていることにより、清掃の際の空気の撹拌によって犬、猫等のペットの毛が舞い上がった場合でも、立ち上がりガード部でペットの毛を捕捉するため、ペットの毛が飛散しない。
【００１５】
第二発明によれば、立ち上がりガード部が側面視して略倒Ｌ字、略くの字、曲面等形状の折り曲げ部を構成し、その前面方向に向かって延設しているため、第一発明と同様に毛の飛散を防止することができる。
【００１６】
第三発明によれば、立ち上がりガード部が、箒部本体の上面より延設され、ストレート形状であるため、舞い上げられた毛が立ち上がりガード部によって捕捉され、毛の飛散を防止することができる。
【００１７】
第四発明によれば、箒部本体と立ち上がりガード部が着脱自在であるため、広いスペースを清掃し、犬、猫等のペットの毛の舞い上がりを防止する必要がある場合は、箒本体に立ち上がりガード部を装着させて使用することにより、毛の舞い上がりを防止することができる。一方、狭いスペース等を清掃する場合は、箒部本体から立ち上がりガード部を取り外すことにより狭いスペースに箒部が入りやすくなり、狭いスペースでの清掃が容易となる。このように、清掃するスペースによって使い分けることができるため便利である。また、箒部本体と立ち上がりガード部が着脱自在なため、運搬や収納等において便利な場合がある。
【００１８】
さらに、第一発明乃至第四発明によれば、立ち上がりガード部に通気部が設けられており、清掃の際、通気部を空気が通り抜けるため、空気の撹拌を抑え、毛の飛散を防止し、また、空気による抵抗を軽減し、軽快に清掃することができる。
【００１９】
第一発明乃至第四発明によれば、立ち上がりガード部の上方にサイドバーを設けているため、このサイドバーによってもペットの毛が捕捉され、空気の舞い上がりによる毛の飛散を防止することができる。
【００２０】
第一発明乃至第四発明の立ち上がりガード部に形成される通気部により、清掃する際の空気抵抗が軽減され、また、毛の舞い上がりを抑えることができる。
【発明を実施するための最良の形態】
【００２１】
次に、本発明の実施形態にかかる犬、猫等のペット用箒を図面に基づいて説明する。
図１は、本発明の第１実施例に係る犬、猫等のペット用箒の正面図、図２は、本発明の第１実施例に係る犬、猫等のペット用箒の右側面図、図３は、本発明の第２実施例に係る犬、猫等のペット用箒の要部拡大右側面図、図４は、第３実施例に係る犬、猫等のペット用箒の要部拡大右側面図、図５は、本発明の第４実施例の着脱自在の箒部本体の斜視図、図６は、本発明の第４実施例の着脱自在の箒部の立ち上がりガード部の斜視図、図７は、本発明の第５実施例に係る犬、猫等のペット用箒の箒部の要部拡大断面図、図８は、本発明の第５実施例に係る犬、猫等のペット用箒の箒部本体と立ち上がりガード部が分離している状態の要部拡大断面図、図９は、本発明の第１実施例に係る犬、猫等のペット用箒の使用図、図１０は、本発明の第６実施例に係る犬、猫等のペット用箒の箒部の立ち上がりガード部の捲回斜視図、図１１は、本発明の第６実施例に係る犬、猫等のペット用箒の箒部の箒部本体の斜視図である。
【００２２】
まず最初に本発明の犬、猫等のペット用箒は、大別すると、箒部５と柄部１とからなり、柄部１の先端１ａに箒部５が設けられている。
柄部１の形状は一般的には、棒状である。柄部１の材質としては、一般的には、木材、樹脂、金属、アルミ等が挙げられる。
【００２３】
一方、箒部５は、柄部１の先端１ａに設けられており、箒部本体６と、立ち上がりガード部１１と、毛部１６とから構成されている。箒部本体６の上面６ａに箒部本体６と柄部１とを連結するため、２個の連結凸部７を設け、２個の連結凸部７のそれぞれに連結孔７ａを設けている。そして、柄部１の先端１ａにも連結孔３を設けている。２個の連結凸部７と連結凸部７との間に柄部１の先端１ａを嵌入し、２個の連結凸部７の連結孔７ａと柄部１の先端１ａの連結孔３を嵌合させる。そして、２個の連結凸部７の連結孔７ａと柄部１の先端１ａに設けられた連結孔３に連結具４を嵌通させることにより柄部１と箒部５が一体となる。このような構成とすることにより、柄部１は箒部本体６の連結凸部７を支点として左右に略１８０度傾動するため、清掃する場所によって角度を変えて使用することができる。従って、特に部屋の隅部を清掃する際は便利である。
【００２４】
箒部本体６の材質は、木材、樹脂、金属、アルミ等が挙げられる。そして、箒部本体６の下面６ｂには毛部１６植設用の孔が設けてあり、毛部１６植設用の孔に毛部１６の一端を植設しているが、箒部本体６と毛部１６の材質が樹脂製の場合、箒部本体６と毛部１６を溶着して取り付ける場合もある。毛部１６の材質は、樹脂等が考えられるが、静電気除去素材を混入して植設することにより静電気が除去され、犬、猫等のペットの毛１００が毛部１６にまとわりつくことを防止する効果が期待できる。
【００２５】
本発明の第１実施例に係る犬、猫等のペット用箒の箒部５の立ち上がりガード部１１は、ガードバー１２、プレート１３、サイドバー１４とで構成されている。ガードバー１２がプレート１３に等間隔で複数本設置され、上方に立ち上がっている。そして、プレート１３が箒部本体６に設けられている。そして、ガードバー１２の上方１２ａの折り曲げ部１２ｆが手前側１２ｂに垂下し、ガードバー１２を全体として側面視すると薇状に構成されている。ガードバー１２の上方１２ａの幅方向１９にサイドバー１４が設けられている。このサイドバー１４によっても舞い上がった毛１００がサイドバー１４に捕捉され、毛１００の飛散を防止する効果が期待できる。
【００２６】
また、立ち上がりガード部１１のガードバー１２とガードバー１２の間には、通気部１５が形成され、この通気部１５があることにより清掃の際の空気抵抗を減らすことができ、また、空気の撹拌を抑え、毛１００の舞い上がりを抑制することができる。
【００２７】
図２は、本発明の第１実施例に係る犬、猫等のペット用箒の右側面図である。図１の本発明の第１実施例に係る犬、猫等のペット用箒を右側から図示したものであるため、図１の第１実施例に係る犬、猫等のペット用箒と基本的な構成は同じである。
【００２８】
即ち、柄部１の先端１ａに箒部５を設け、箒部５の箒部本体６の下面６ｂに毛部１６を設けている。そして、箒部本体６の前面６ｃに立ち上がりガード部１１を設けている。この立ち上がりガード部１１のガードバー１２の上方１２ａの折り曲げ部１２ｆは、手前側１２ｂに垂下し、ガードバー１２を側面視すると薇状となっている。この薇形状のガードバー１２によって舞い上がった毛１００が飛散されることを防止する。ガードバー１２の上方１２ａには、幅方向１９にサイドバー１４を設けられている。このサイドバー１４によって舞い上がった毛１００が捕捉され、あるいは、床等９９に戻り、毛１００の飛散を防止する効果が期待できる。
【００２９】
図３は、本発明の第２実施例に係る犬、猫等のペット用箒の要部拡大右側面図である。基本的な構成は本発明の第１実施例に係る犬、猫等のペット用箒と同様であるが、箒部本体６の前面６ｃに設けられた立ち上がりガード部１１のガードバー１２の上方１２ａの形状がストレート形状となっている。また、ガードバー１２の上方１２ａには、幅方向１９にサイドバー１４が設けられている。このサイドバー１４によっても舞い上がった毛１００が捕捉され、あるいは、床等９９に戻るため、毛１００の飛散を防止する効果が期待できる。
【００３０】
図４は、第３実施例に係る犬、猫等用箒の要部拡大右側面図である。基本的な構成は本発明の第１実施例に係る犬、猫等のペット用箒と同様であるが、ガードバー１２の形状が側面視すると略９０度の角度を有し、略「く」の字型を構成している。箒部本体６の上面６ａと略「く」の字型のガードバー１２の上面１２ｅは、略面一で構成される場合や、本図のように箒部本体６の上面６ａと略「く」の字型のガードバー１２の上面１２ｅが段差を設ける構成の場合もある。箒部本体６の一面より、その面方向１２ｄに向かってガードバー１２が延設されているが、延設されるガードバー１２の長さは、毛１００の舞い上がりを抑えることができれば長さは問わない。また、延設部１２ｃの端部にはサイドバー１４が設けられている。このサイドバー１４によっても舞い上がった毛１００が捕捉され、あるいは、床等９９に戻るため、毛１００の飛散を防止する効果が期待できる。
【００３１】
図５は、本発明の第４実施例の着脱自在の箒部本体６の斜視図である。箒部本体６は、略平板状で構成されている。箒部本体６の下面６ｂには毛部１６が設けられている。箒部本体６の上面６ａには、柄部１と箒部５を連結するため、２個の連結凸部７が設けられている。そして２個の連結凸部７にはそれぞれ連結孔７ａが設けられている。
【００３２】
ラバーマグネット（ゴム磁石）２０の取り付け方法は、種々の方法が考えられる。例えば、箒部本体６の前面６ｃを凹状又は凸状に形成し、この凹状又は凸状にラバーマグネット（ゴム磁石）２０を被覆するように設け、ラバーマグネット（ゴム磁石）２０によって凹状部８又は凸状部９を形成する方法が挙げられる。また、箒部本体６の前面６ｃを凹状又は凸状の部分に、ラバーマグネット（ゴム磁石）２０を埋設する方法や、貼接する方法も挙げられる。
【００３３】
図６は、本発明の第４実施例の着脱自在の箒部５の立ち上がりガード部１１の斜視図である。プレート１３にガードバー１２が設けられ、ガードバー１２の上方１２ａにサイドバー１４が設けられている。
【００３４】
ラバーマグネット（ゴム磁石）２０の取り付け方法は種々の方法が考えられる。例えば、立ち上がりガード部１１のプレート１３の背面１３ａを凹状又は凸状に構成し、この凹状又は凸状にラバーマグネット（ゴム磁石）２０を被覆するように設け、ラバーマグネット（ゴム磁石）２０によって凹状部８又は凸状部９を形成する方法が挙げられる。また、立ち上がりガード部１１のプレート１３の背面１３ａを凹状又は凸状の部分に、ラバーマグネット（ゴム磁石）２０を埋設する方法や、貼接する方法も挙げられる。
【００３５】
ここで箒部本体６と立ち上がりガード部１１の結合についての一例を説明すると、立ち上がりガード部１１のプレート１３の背面１３ａにラバーマグネット（ゴム磁石）２０で形成された凹状部８又は凸状部９と、箒部本体６の前面６ｃがラバーマグネット（ゴム磁石）２０で形成された凸状部９又は凹状部８を結合させ、プレート１３の背面１３ａのラバーマグネット（ゴム磁石）２０と箒部本体６の前面６ｃのラバーマグネット（ゴム磁石）２０を異極とすることによって、ラバーマグネット（ゴム磁石）２０同士が磁力によって吸引され、立ち上がりガード部１１と箒部本体６が一体化する。なお、ラバーマグネット（ゴム磁石）２０の形状は凹状部８や凸状部９に限定されることはなく、箒部本体６と立ち上がりガード部１１のプレート１３に種々の形状のラバーマグネット（ゴム磁石）２０を設けることができる。
【００３６】
なお、図５に記載の箒部本体６と図６に記載の立ち上がりガード部１１の結合に関しては、一例として、ラバーマグネット（ゴム磁石）２０を用いて結合する形態を記載したが、この例には限定されない。従って、箒部本体６や立ち上がりガード部１１のプレート１３に凹凸のラバーマグネットを設けることなく、箒部本体６の前面６ｃや立ち上がりガード部１１のプレート１３の背面１３ａを凹凸形状とし、その凹凸形状の各辺をテーパー形状とし、箒部本体６の側面６ｄ、立ち上がりガード部１１の側面２１から凹形状部と凸形状部を嵌合させ、幅方向１９にスライドさせながら結合させる形態も考えられる。
【００３７】
図７は、本発明の第５実施例に係る犬、猫等のペット用箒の箒部の要部拡大右側面図である。基本的な構成は本発明の第１実施例に係る犬、猫等のペット用箒と同様であるが、本実施例は、立ち上がりガード部１１と箒部本体６が分離可能であり、立ち上がりガード部１１のプレート１３を箒部本体６の長孔１０に挿入する。そして、立ち上がりガード部１１と箒部本体６が一体化する。
【００３８】
箒部本体６の前面６ｃ側に、箒部本体６の上面６ａから下面６ｂに向かって立ち上がりガード部１１のプレート１３を挿入するための長孔１０が設けられている。この立ち上がりガード部１１は着脱自在の構成となっているため、狭いスペースを清掃する場合は、立ち上がりガード部１１を取り外して使用することができる。そして、長孔１０に立ち上がりガード部１１のプレート１３を挿入することにより、立ち上がりガード部１１のガードバー１２が箒部の上方に立ち上がり、他の実施例に係る犬、猫等のペット用箒と同様に、清掃の際、空気の撹拌によるペットの毛１００の舞い上がり防止効果が期待できる。
【００３９】
なお本図では、本発明のガードバー１２の上方１２ａの折り曲げ部１２ｆは手前側１２ｂに垂下し、ガードバー１２を側面視すると曲面を有する薇形状となっているが、本発明の第２実施例のようなガードバー１２の上方１２ａをストレート形状や、本発明の第３実施例のようにガードバー１２の形状が側面視すると略９０度の角度を有し、略「く」の字型の形状とすることも可能である。
【００４０】
図８は、本発明の第５実施例に係る犬、猫等のペット用箒の箒部本体６と立ち上がりガード部１１が分離している状態の要部拡大斜視図である。
【００４１】
図９は、本発明の第１実施例に係る犬、猫等のペット用箒の使用図である。このように本発明の第１実施例に係る犬、猫等のペット用箒を使ってペットの毛１００を掃き集める場合、立ち上がりガード部１１に通気部１５があることによって空気抵抗を軽減し、空気の撹拌による毛１００の舞い上がりを防止することができるが、万一、空気の撹拌により空気と一緒にペットの毛１００も上方に舞い上がった場合であっても、ガードバー１２によって毛１００がガードバー１２に捕捉され、あるいは、毛１００が再び床等９９に戻されることになるため、毛の飛散を防止することができる。なお、本発明の第２実施例乃至第６実施例に係る犬、猫等のペット用箒であっても同様の効果が期待できることは勿論である。
【００４２】
図１０は、本発明の第６実施例に係る犬、猫等のペット用箒の箒部５の立ち上がりガード部１１の捲回斜視図である。本図では立ち上がりガード部１１は捲回されているが、実際に本発明を使用する場合は捲回されているガードバー１２を引き伸ばして箒部本体６に設置する。
【００４３】
本図では一例として、第１実施例等のガードバー１２の上方１２ａに設けているサイドバー１４を設けない構成としているが、サイドバー１４が、ガードバー１２と同様に捲回できればサイドバー１４を設ける構成とすることもできる。立ち上がりガード部１１のガードバー１２の全体の形状をメッシュ状の構成としている。そしてメッシュ状のガードバー１２の一面の両端に面ファスナー１８を設ける。面ファスナー１８の長さは、適宜選択することができる。なお、本発明の第６実施例に係る犬、猫等のペット用箒の箒部５の立ち上がりガード部１１は、本図のように捲回することができるため、持ち運びや収納に便利である。
【００４４】
図１１は、本発明の第６実施例に係る犬、猫等のペット用箒の箒部の箒部本体６の斜視図である。箒部本体６は上面６ａに２個の連結凸部７を設けており、箒部本体６の下面６ｂに毛部１６が設けられている。そして、箒部本体６の前面の両端に面ファスナー１８が設けられている。なお、箒部本体６の前面の全面に面ファスナー１８を設ける構成とすることも可能である。そしてこの箒部本体６の面ファスナー１８と上述した図１０のメッシュ状の立ち上がりガード部１１の面ファスナー１８とを結合させる。箒部本体６の面ファスナー１８の長さは、適宜選択することができる。なお、立ち上がりガード部１１の面ファスナー１８と箒部本体６の面ファスナー１８の貼着位置を変えることにより、箒部本体６に対しての立ち上がりガード部１１の高さを調節することができる。
【００４５】
本発明の第１実施例乃至第６実施例に係る犬、猫等ペット用箒の柄部１の後端１ｂに引っ掛け部２を設ける構成でも、引っ掛け部２を設けない構成であってもよい。また、第１実施例乃至第５実施例に係る犬、猫用箒の箒部本体６の連結凸部７は、柄部１を連結することができればどのような形状であってもよく、数も問わない。
【００４６】
なお、本発明の第１実施例乃至第６実施例の立ち上がりガード部１１のガードバー１２に相当する部分は、種々の形状とすることができる。例えば、格子状、柵状、孔開き状等のものが挙げられる。
【００４７】
また、本発明の第１実施例乃至第６実施例の箒部本体６には、企業の広告等を入れることができ、企業の広告を入れた場合は、ノベルティー商品として活用することができる。
【００４８】
本発明の第１実施例乃至第３実施例の立ち上がりガード部１１のガードバー１２は、プレート１３に設ける構成とすることも、箒部本体に直接設ける構成とすることも可能である。
【図面の簡単な説明】
【００４９】
【図１】本発明の第１実施例に係る犬、猫等のペット用箒の正面図である。
【図２】本発明の第１実施例に係る犬、猫等のペット用箒の右側面図である。
【図３】本発明の第２実施例に係る犬、猫等のペット用箒の右側面図である。
【図４】本発明の第３実施例に係る犬、猫等用箒の要部拡大右側面図である。
【図５】本発明の第４実施例の着脱自在の箒部本体の斜視図である。
【図６】本発明の第４実施例の着脱自在の箒部の立ち上がりガード部の斜視図である。
【図７】本発明の第５実施例に係る犬、猫等のペット用箒の箒部の要部拡大右側面図である。
【図８】本発明の第５実施例に係る犬、猫等のペット用箒の箒部本体と立ち上がりガード部が分離している状態の要部拡大斜視図である。
【図９】本発明の第１実施例に係る犬、猫等のペット用箒の使用図である。
【図１０】本発明の第６実施例に係る犬、猫等のペット用箒の箒部の立ち上がりガード部の捲回斜視図である。
【図１１】本発明の第６実施例に係る犬、猫等のペット用箒の箒部の箒部本体の斜視図である。
【符号の説明】
【００５０】
柄部                                  １
先端                                  １ａ
後端                                  １ｂ
引っ掛け部                            ２
連結孔                                ３
連結具                                ４
箒部                                  ５
箒部本体                              ６
上面                                  ６ａ
下面                                  ６ｂ
前面                                  ６ｃ
側面                                  ６ｄ
連結凸部                              ７
連結孔                                ７ａ
凹状部                                ８
凸状部                                ９
長孔                                  １０
立ち上がりガード部                    １１
ガードバー                            １２
上方                                  １２ａ
手前側                                １２ｂ
延設部                                １２ｃ
面方向                                １２ｄ
上面                                  １２ｅ
折り曲げ部                            １２ｆ
プレート                              １３
背面                                  １３ａ
サイドバー                            １４
通気部                                １５
毛部                                  １６
面ファスナー                          １８
幅方向                                １９
ラバーマグネット（ゴム磁石）          ２０
側面                                  ２１
床等                                  ９９
毛                                    １００
【図１】
2007098058.tif 000003
【図２】
2007098058.tif 000004
【図３】
2007098058.tif 000005
【図４】
2007098058.tif 000006
【図５】
2007098058.tif 000007
【図６】
2007098058.tif 000008
【図７】
2007098058.tif 000009
【図８】
2007098058.tif 000010
【図９】
2007098058.tif 000011
【図１０】
2007098058.tif 000012
【図１１】
2007098058.tif 000013